(57)【特許請求の範囲】
【請求項１】
各々が音を出力する第１のユニット及び第２のユニットを備え、
前記第２のユニットは前記第１のユニットの背面側に配置され、
前記第１のユニットは、
前後に振動して音を放射する第１の振動板と、
前記第１の振動板の外周部の互いに異なる位置をそれぞれ支持する複数のサスペンションとを有し、
前記複数のサスペンションの間には、前記第２のユニットから出力される音を前記第１のユニットの前面側に導くための通気路が少なくとも１つ設けられており、
前記通気路は、前記第１のユニットの外形より内側にある
スピーカ。
【請求項２】
前記第２のユニットは、前後に振動して音を放射する第２の振動板を有し、
前記第１の振動板と前記第２の振動板とは、前記第１の振動板又は前記第２の振動板の振動方向からみたときに少なくとも板面の一部が互いに重なるように直列的に配置されている
請求項１に記載のスピーカ。
【請求項３】
さらに、音を前記第１のユニットの前面側から前記スピーカ外部に放射する音響ポートを備え、
前記第１のユニットは、前記音響ポートと前記第２のユニットとの間に配置され、
前記第１の振動板の前方に放射される音は、前記音響ポートにより外部に放射され、
前記第２の振動板の前方に放射される音は、前記通気路を介して、前記音響ポートにより外部に放射される
請求項２に記載のスピーカ。
【請求項４】
前記音響ポートには、第１の音孔と第２の音孔とが形成されており、
前記第１の振動板から放射される音は、前記第１の音孔から放射され、
前記第２の振動板から放射される音は、前記通気路を介して、前記第２の音孔から放射される
請求項３に記載のスピーカ。
【請求項５】
前記第１の振動板の前方には、第１の空室が形成されており、
前記第２の振動板の前方には、第２の空室が形成されており、
前記第１の空室の音響容量と前記第１の音孔の音響質量とに依存する第１の音響共振と、前記第２の空室の音響容量と前記第２の音孔の音響質量とに依存する第２の音響共振とが、互いに異なる周波数となるように、前記第１の空室と前記第２の空室と前記第１の音孔と前記第２の音孔とが形成されている
請求項４に記載のスピーカ。
【請求項６】
前記第１の振動板と前記第２の振動板との振動方向が互いに逆方向である
請求項２に記載のスピーカ。
【請求項７】
前記第１のユニット及び第２のユニットの各々は、磁気回路を備える動電型方式の電気音響変換器であり、
前記第１のユニットの磁気回路の着磁方向と、前記第２のユニットの磁気回路の着磁方向とが、振動板の振動方向において互いに逆向きである
請求項６に記載のスピーカ。
【請求項８】
前記第１のユニットと前記第２のユニットとは、前記第１のユニットの磁気回路の底面側と、第２のユニットの磁気回路の底面側とが、対向するように配置されている
請求項７に記載のスピーカ。
【請求項９】
前記第１のユニットと前記第２のユニットとは、前記第１の振動板と、前記第２の振動板とが対向するように配置されている
請求項７に記載のスピーカ。
【請求項１０】
前記第１の振動板の前方には、第１の空室が形成されており、
前記第２の振動板の前方には、第２の空室が形成されており、
前記音響ポートには、音孔が形成されており、
前記音孔は、前記第１の空室と接続されており、かつ、前記通気路を介して前記第２の空室と接続されており、
前記第１の振動板の後方に放射された音と、前記第２の振動板の後方に放射された音とは、前記音孔から放射される音とは異なる方向に放射される
請求項３に記載のスピーカ。
【請求項１１】
前記第１のユニットの磁気回路に形成された、ボイスコイルが挿入される磁気空隙には、磁性流体が充填されている
請求項７に記載のスピーカ。
【請求項１２】
前記複数のサスペンションは、前記外形の一部を形成するフレームと複数の接着部にて接着され、
前記通気路は前記フレームに設けられ、
前記第１の振動板の周方向において、前記通気路は前記接着部よりも内側に配置される箇所を含む、
請求項１に記載のスピーカ。
【請求項１３】
請求項１〜１２のいずれか１項に記載のスピーカを備える
補聴器又はイヤホン。
【請求項１４】
さらに、
音響ポートの出口側にイヤーチップを備える
請求項１３に記載の補聴器又はイヤホン。
【請求項１５】
前記イヤーチップには、外耳道内の空気を外空間に通過させるための通気孔が形成されている
請求項１４に記載の補聴器又はイヤホン。
【請求項１６】
請求項１〜１２のいずれか１項に記載のスピーカを備える
携帯型端末装置。
【発明の詳細な説明】
【技術分野】
【０００１】
本発明は、小型スピーカ、特にレシーバと呼ばれる超小型スピーカおよびそれを備える機器に関する。
【背景技術】
【０００２】
近年、携帯型の音楽プレーヤの普及とともに、屋内外で気軽に音楽再生を楽しむためのイヤホンやヘッドホンが多用されてきている。また、高齢化社会の進展とともに、補聴器の需要が増大し、補聴器の音響再生に用いられる超小型スピーカであるレシーバの使用増加が予測される。【０００３】
このような音楽再生を主目的とするイヤホン、或いは補聴器のレシーバには、耳の外耳道に挿入するインナー型のイヤホン又はレシーバが多く用いられている。使用者の装着感を考慮すると、そのようなインナー型のイヤホン又はレシーバの形状は小型であることが望ましい。特に日常生活を通して使用者が長時間耳に装着する補聴器では、装着感を意識させないような小型のレシーバが強く求められる。【０００４】
また、特に補聴器では、電池寿命を長くして、長時間使用に耐え得ることが求められる。そのため、補聴器では、レシーバで消費される電力を抑えることが重要である。消費電力を抑制するためには、レシーバの音響効率を高くして、省電力でも十分な音量が得られるようにすることが望ましい。しかしながら、スピーカの小型化と音響効率の向上とは、相反するものであり、一般的に、スピーカの音響効率を上げようとすれば、スピーカの形状は大きくなる。【０００５】
この課題を解決する従来技術の１つとして、特許文献１に示されるスピーカがある。図１３は、特許文献１に記載された従来スピーカの構造断面図である。図１３に示すように、従来のスピーカは、第１のスピーカユニット１と、第２のスピーカユニット２と、第１のスピーカユニットを保持する第１の筐体３と、第２のスピーカユニット２及び第１の筐体３を保持する第２の筐体４とを備える。スピーカ内部には、第１の筐体３の外周部と第２の筐体４の内周部によって通気路５が形成されている。【０００６】
第１のスピーカユニット１は、振動板６と、その振動板６の外周を全周にわたって支持するサスペンション７と、振動板６に固着されたボイスコイル８と、磁気回路部とを有する。磁気回路部は、ヨーク９と、マグネット１０と、プレート１１とを含む。また、磁気回路部には、ヨーク９の内周部及びプレート１１の外周部により磁気空隙１２が形成されている。ボイスコイル８は、磁気空隙１２内に保持されている。【０００７】
第２のスピーカユニット２は、第１のスピーカユニット１と同様の構造であるので、詳細な説明を省略する。【０００８】
以上のように構成された従来スピーカの動作を説明する。第２のスピーカユニット２の振動板１３から発生した音は、第１の筐体３の外周部と第２の筐体４の内周部により形成される通気路５を介してスピーカの外部に放射される。一方、第１のスピーカユニット１の振動板６で発生した音は、そのままスピーカの外部に放射される。その結果、第１のスピーカユニット１からの音と、通気路５より放射される第２のスピーカユニット２からの音とが合成され再生される。【０００９】
このように、２つのスピーカユニットは直列的に配置されているため、図１３に示す従来のスピーカは、小型化を図ることができる。つまり、２つのスピーカユニットを振動板の振動方向に重ねて配置することにより、２つのスピーカユニットを平面的に配置するよりも、スピーカ全体の小型化を図ることができる。また、２つのスピーカユニットから出力された音が１つに合成されるため、音響効率を向上させることが可能となる。
【先行技術文献】
【特許文献】
【００１０】
【特許文献１】特開平２−４４８９９号公報
【発明の概要】
【発明が解決しようとする課題】
【００１１】
しかしながら、上記従来のスピーカでは、第２のスピーカユニット２から出力された音は、通気路５を通じて外部に放射される。この通気路５は、第１のスピーカユニット１のサスペンション７の外周部を支持する第１の筐体３の、さらに外周部に設けられる。そのため、第１の筐体３の外形は、通気路５のスペースを確保するために大きくなる。【００１２】
また、第１のスピーカユニット１の外形は、第２のスピーカユニット２の外形より小さくする必要がある。つまり、第１のスピーカユニット１の振動板６の面積は、第２のスピーカユニット２の振動板１３の面積より小さくなってしまう。したがって、２つのスピーカから出力される音の音圧にはレベル差が生じてしまう。その結果、２つのスピーカユニットを用いても、高い音響効率と小型化とを両立することは困難であった。【００１３】
そこで、本発明は、上記課題を解決するためになされたものであり、音響効率の低下を抑制しつつ、スピーカの小型化を図ることができるスピーカ等を提供することを目的とする。
【課題を解決するための手段】
【００１４】
上記目的を達成するために、本発明の一態様に係るスピーカは、各々が音を出力する第１のユニット及び第２のユニットを備え、前記第２のユニットは前記第１のユニットの背面側に配置され、前記第１のユニットは、前後に振動して音を放射する第１の振動板と、前記第１の振動板の外周部の互いに異なる位置をそれぞれ支持する複数のサスペンションとを有し、前記複数のサスペンションの間には、前記第２のユニットから出力される音を前記第１のユニットの前面側に導くための通気路が少なくとも１つ設けられており、前記通気路は、前記第１のユニットの外形より内側にある。
【００１５】
また、前記第２のユニットは、前後に振動して音を放射する第２の振動板を有し、前記第１の振動板と前記第２の振動板とは、前記第１の振動板又は前記第２の振動板の振動方向からみたときに少なくとも板面の一部が互いに重なるように直列的に配置されていることが好ましい。【００１６】
また、さらに、音を前記第１のユニットの前面側から前記スピーカ外部に放射する音響ポートを備え、前記第１のユニットは、前記音響ポートと前記第２のユニットとの間に配置され、前記第１の振動板の前方に放射される音は、前記音響ポートにより外部に放射され、前記第２の振動板の前方に放射される音は、前記通気路を介して、前記音響ポートにより外部に放射されることが好ましい。
【００１７】
また、前記音響ポートには、第１の音孔と第２の音孔とが形成されており、前記第１の振動板から放射される音は、前記第１の音孔から放射され、前記第２の振動板から放射される音は、前記通気路を介して、前記第２の音孔から放射されることが好ましい。【００１８】
また、前記第１の振動板の前方には、第１の空室が形成されており、前記第２の振動板の前方には、第２の空室が形成されており、前記第１の空室の音響容量と前記第１の音孔の音響質量とに依存する第１の音響共振と、前記第２の空室の音響容量と前記第２の音孔の音響質量とに依存する第２の音響共振とが、互いに異なる周波数となるように、前記第１の空室と前記第２の空室と前記第１の音孔と前記第２の音孔とが形成されていることが好ましい。【００１９】
また、前記第１の振動板と前記第２の振動板との振動方向が互いに逆方向であることが好ましい。【００２０】
また、前記第１のユニット及び第２のユニットの各々は、磁気回路を備える動電型方式の電気音響変換器であり、前記第１のユニットの磁気回路の着磁方向と、前記第２のユニットの磁気回路の着磁方向とが、振動板の振動方向において互いに逆向きであることが好ましい。【００２１】
また、前記第１のユニットと前記第２のユニットとは、前記第１のユニットの磁気回路の底面側と、第２のユニットの磁気回路の底面側とが、対向するように配置されていることが好ましい。【００２２】
また、前記第１のユニットと前記第２のユニットとは、前記第１の振動板と、前記第２の振動板とが対向するように配置されていることが好ましい。【００２３】
また、前記第１の振動板の前方には、第１の空室が形成されており、前記第２の振動板の前方には、第２の空室が形成されており、前記音響ポートには、音孔が形成されており、前記音孔は、前記第１の空室と接続されており、かつ、前記通気路を介して前記第２の空室と接続されており、前記第１の振動板の後方に放射された音と、前記第２の振動板の後方に放射された音とは、前記音孔から放射される音とは異なる方向に放射されることが好ましい。【００２４】
また、前記第１のユニットの磁気回路に形成された、ボイスコイルが挿入される磁気空隙には、磁性流体が充填されていることが好ましい。
【発明の効果】
【００２５】
本発明の一態様に係るスピーカによれば、複数のサスペンションが第１の振動板の外周部の互いに異なる位置を支持することにより、複数のサスペンションの間に通気路を設けることが可能となる。その結果、第２のユニットから出力される音を外部に導くための通気路のために、スピーカの外形を大きくする必要がなくなり、複数のユニットを備える高能率なスピーカを小型化することが可能となる。
【図面の簡単な説明】
【００２６】
【図１】図１は、本発明の実施の形態１におけるスピーカの断面図である。
【図２】図２は、本発明の実施の形態２におけるスピーカの平面図と断面図である。
【図３】図３は、本発明の実施の形態２におけるスピーカの振動力特性図である。
【図４】図４は、本発明の実施の形態３におけるスピーカの平面図と断面図である。
【図５】図５は、本発明の実施の形態４におけるスピーカの平面図と断面図である。
【図６】図６は、本発明の実施の形態４におけるフレームの概観図である。
【図７】図７は、本発明の実施の形態４におけるスピーカの音圧周波数特性図である。
【図８】図８は、本発明の実施の形態５における補聴器の装着時の概観図である。
【図９】図９は、本発明の実施の形態５におけるレシーバ部の詳細図である。
【図１０】図１０は、本発明の実施の形態５におけるレシーバの装着状態図である。
【図１１】図１１は、本発明の実施の形態６におけるヘッドホンの装着概観図である。
【図１２】図１２は、本発明の実施の形態７における携帯型端末装置の外観図である。
【図１３】図１３は、従来のスピーカの構造断面図である。
【発明を実施するための形態】
【００２７】
以下、本発明の実施の形態について、図面を参照しながら説明する。
【００２８】
（実施の形態１）
図１は、本発明の実施の形態１におけるスピーカを示す図である。具体的には、図１の（ａ）は、本実施の形態におけるスピーカの横断面図である。また、図１の（ｂ）は、本実施の形態におけるスピーカの縦断面図である。より具体的には、図１の（ａ）は、図１の（ｂ）に示す縦断面図のＣ−Ｄで切断したときの断面図である。また、図１の（ｂ）は、図１の（ａ）の横断面図に示すＡ−Ｏ−Ｂで切断したときの断面図である。
【００２９】
図１に示すように、本実施の形態におけるスピーカは、第１のユニット２０と、第２のユニット２１と、第１のフレーム３１と、第２のフレーム３２と、音響ポート３３とを備える。本実施の形態では、第１のユニット２０と第２のユニット２１との各々は、磁気回路を備える動電型方式の電気音響変換器である。
【００３０】
第１のユニット２０は、音響ポート３３と第２のユニット２１との間に配置されている。第１のユニット２０は、ヨーク２２、マグネット２３、及びプレート２４を含む磁気回路と、振動板２５と、４つのサスペンション２６ａ、２６ｂ、２６ｃ、２６ｄと、ボイスコイル２８と、磁性流体２９とを有する。
【００３１】
マグネット２３は、ヨーク２２の内部底面に固着されている。また、プレート２４は、マグネット２３の上面に固着されている。ヨーク２２とマグネット２３との間には、磁気空隙２７が形成されている。ヨーク２２、マグネット２３、及びプレート２４の中央部には、ヨーク２２、マグネット２３、及びプレート２４を貫通する音孔３０が形成されている。
【００３２】
振動板２５は、前後に振動することにより音を放射する第１の振動板の一例である。本実施の形態では、振動板２５の断面形状は、図１の（ｂ）に示すように、上方（前方）に凸となる凸形状である。
【００３３】
サスペンション２６ａ、２６ｂ、２６ｃ、２６ｄは、振動板２５の外周部の互いに異なる位置をそれぞれ支持している。つまり、サスペンション２６ａ、２６ｂ、２６ｃ、２６ｄは、振動板２５の外周部に離散的に設置されている。本実施の形態では、サスペンション２６ａ、２６ｂ、２６ｃ、２６ｄは、振動板２５の周方向に均等間隔に離れて設置されている。
【００３４】
また、本実施の形態では、サスペンション２６ａ、２６ｂ、２６ｃ、２６ｄは、振動板２５と一体的に形成されている。そして、サスペンション２６ａ、２６ｂ、２６ｃ、２６ｄは、フレーム３１の上面部に接着されている。なお、振動板２５とサスペンション２６ａ、２６ｂ、２６ｃ、２６ｄとは、必ずしも一体的に形成される必要はない。
【００３５】
ボイスコイル２８は、磁気空隙２７内に挿入され、振動板２５の外周部に固着されている。このボイスコイル２８に電気信号が印加されることにより、振動板２５を振動させることができる。
【００３６】
磁性流体２９は、ボイスコイル２８の内周部とプレート２４との間に形成された空間に充填されている。磁性流体２９は、マグネット２３の磁気力で保持されている。そして、磁性流体２９は、その粘性によりボイスコイル２８を磁気空隙２７内に保持し、ボイスコイル２８を安定的に振動させことができる。
【００３７】
第１のフレーム３１は、第１のユニット２０及び第２のユニット２１を収納する筐体の一部を構成している。また、第１のフレーム３１は、磁気回路及びサスペンション２６ａ、２６ｂ、２６ｃ、２６ｄの外周部を固着保持している。第１のフレーム３１の領域であって平面視したときにサスペンション２６ａ、２６ｂ、２６ｃ、２６ｄの間に位置する領域のうちの一部には、通気路３５ａ、３５ｂが設けられている。
【００３８】
この通気路３５ａ、３５ｂは、第１のユニット２０の振動板２５の前方に形成された第１の空室と、第２のユニット２１の振動板３７の前方に形成された第２の空室とを接続する。したがって、第２のユニット２１の振動板３７の前方に放射された音は、第２の空室、通気路３５ａ、３５ｂ、第１の空室を順に通過して、音響ポート３３の音孔３４から外部に放射される。つまり、通気路３５ａ、３５ｂは、第２のユニット２１から出力された音を外部に導くための通気路に相当する。
【００３９】
また、第１のフレーム３１の領域であって平面視したときにサスペンション２６ａ、２６ｂ、２６ｃ、２６ｄの間に位置する領域のうちの他部には、ボイスコイル２８と電気的に接続されたリード線３６ａ、３６ｂが配置されている。これらのリード線３６ａ、３６ｂを介して、ボイスコイル２８に電気信号が印加される。
【００４０】
第２のユニット２１は、第１のユニット２０の下方に配置されている。第２のユニット２１は、第１のユニット２０と同様に、振動板３７などを備える。
【００４１】
振動板３７は、前後に振動することにより音を放射する第２の振動板の一例である。本実施の形態では、振動板３７の形状及び大きさは、第１のユニット２０の振動板２５と同一である。
【００４２】
なお、図１の（ｂ）に示すように、第１のユニット２０が備える振動板２５と第２のユニット２１が備える振動板３７とは、振動板２５又は振動板３７の振動方向からみたときに少なくとも板面の一部が互いに重なるように直列的に配置されている。本実施の形態では、振動板２５と振動板３７とは、互いの振動方向が平行となるように設置されている。
【００４３】
なお、第２のユニット２１は、第１のユニット２０と同構成のため、ここでは各構成要素の詳しい説明を省略する。
【００４４】
第２のフレーム３２は、第１のユニット２０及び第２のユニット２１を収納する筐体の一部を構成している。また、第２のフレーム３２は、第２のユニット２１の磁気回路及び複数のサスペンションの外周部を固着保持している。
【００４５】
音響ポート３３は、第１のユニット２０及び第２のユニット２１を収納する筐体の一部を構成している。音響ポート３３は、第１のフレーム３１の上面に固着されている。つまり、音響ポート３３は、第１のユニット２０の上方に配置されている。音響ポート３３の中央部には、音孔３４が形成されている。
【００４６】
この音孔３４は、第１のユニット２０の振動板２５の前方に形成された第１の空室と接続されている。また、音孔３４は、第２のユニット２１の振動板３７の前方に形成された第２の空室と、通気路３５ａ、３５ｂを介して接続されている。
【００４７】
次に、以上のように構成されたスピーカの動作を説明する。
【００４８】
第１のユニット２０のボイスコイル２８に電気信号が印加されると、振動板２５が振動する。そして、振動板２５が振動することにより振動板２５の前方に放射された音は、図１の（ｂ）の矢印Iで示すように、音響ポート３３の音孔３４からスピーカの外部に放射される。
【００４９】
第２のユニット２１のボイスコイルにも、第１のユニット２０のボイスコイル２８と同様の電気信号が印加されると、振動板３７が振動する。そして、振動板３７が振動することにより振動板３７の前方に放射された音は、図１の（ｂ）の矢印IIで示すように、通気路３５ａ、３５ｂを通過して、音響ポート３３の音孔３４からスピーカの外部に放射される。
【００５０】
このとき、第２のユニット２１の振動板３７の前方に放射された音は、矢印Iで示した第１のユニット２０の振動板２５の前方に放射された音とスピーカ内で合成される。したがって、第１のユニット２０から出力された音と第２のユニット２１から出力された音との合成音が音響ポート３３の音孔３４から外部に放射される。
【００５１】
このように、第２のユニット２１から出力された音は、第１のユニット２０のサスペンション間に設けられた通気路３５ａ、３５ｂを通過して外部に放射される。そのため、本実施の形態におけるスピーカでは、第２のユニット２１から出力された音を外部に導くための通気路を設けるために、第１のユニット２０の外形を大きくする必要がない。つまり、本実施の形態におけるスピーカは、図１３に示すような従来のスピーカよりも小型化することが可能となる。
【００５２】
また、本実施の形態におけるスピーカは、互いに形状及び大きさが同じ振動板を有する２つのユニットを備えるので、１つのユニットのみを備えるスピーカに比べて、音響効率を向上させることができる。例えば、入力電気エネルギーが同じ場合は、本実施の形態におけるスピーカは、１つのユニットのみを備えるスピーカよりも、出力音圧レベルを＋３ｄＢ向上させることができる。また、出力音圧レベルが同じ場合は、本実施の形態におけるスピーカは、１つのユニットのみを備えるスピーカよりも、入力電気エネルギーを１／２にすることができる。
【００５３】
つまり、本実施の形態におけるスピーカは、小型化と省電力化とを同時に実現することができる。つまり、本実施の形態におけるスピーカによれば、音響効率の低下を抑制しつつ、スピーカの小型化を図ることができる。
【００５４】
さらに、本実施の形態では、振動板は複数のサスペンションで支持されている。そのため、１つのサスペンションで振動板の外周部の全周が支持される場合よりも、サスペンションのスティフネスを小さくすることができ、ユニットの最低共振周波数を低くできる。その結果、本実施の形態におけるスピーカは、小型であっても、比較的低音域の音を再生することが可能となる。
【００５５】
また、本実施の形態では、ボイスコイル２８の内周部には、磁気空隙２７の磁束により安定的に保持された磁性流体２９が充填されている。したがって、磁性流体２９は、その粘性により、振動板２５及びボイスコイル２８を、安定的に支持することができる。また、磁性流体２９は、ボイスコイル２８の発熱を抑えることもでき、大きな電気信号が入力された時にボイスコイル２８が焼損することを抑制することもできる。
【００５６】
さらに、第１のユニット２０の振動板２５の後方に放射される音は、ボイスコイル２８の内周部とプレート２４の外周部との間の磁気空隙２７に充填された磁性流体２９により、振動板２５の前方へ通過することを阻止されている。そのため、振動板２５の後方へ放射された音は、磁気空隙２７を通過して振動板２５の前方に漏れることなく、図１の（ｂ）の矢印IIIで示すように、音孔３０を通過して、外空間に放射される。同様に、第２のユニット２１の振動板３７の後方に放射される音も、図１の（ｂ）の矢印IVで示すように、外空間に放射される。
【００５７】
このように、本実施の形態におけるスピーカでは、第１のユニット２０及び第２のユニット２１の各々の振動板の前方に放射される音（矢印I、II）と、この音とは逆位相の音であって振動板の後方に放射される音（矢印III、IV）とが外空間に同時に放射される。しかし、このスピーカが補聴器あるいはイヤホンに用いられる場合には、振動板の前方に放射される音（矢印I、II）は、耳孔内に放射され、振動板の後方に放射される音（矢印III、IV）は、耳孔外に放射されるため、互いの音が干渉することはほとんどない。
【００５８】
なお、振動板の後方に放射される音を外空間に放射することを防止するために、振動板の後方を密閉状態にしてもよい。ただし、この場合は、振動板の後方の密閉空室の空気スティフネスにより、ユニットの最低共振周波数が上昇して、低音域の再生限界が上昇することを考慮する必要がある。
【００５９】
また、本実施の形態では、第２のユニット２１の振動板３７も、第１のユニット２０と同様に、複数のサスペンションで支持される構成であったが、必ずしも振動板３７は、複数のサスペンションで支持される必要はない。第２のユニット２１には、他のユニットから出力された音を外部に導くための通気路が設けられる必要はない。したがって、第２のユニット２１が備えるサスペンションは、振動板３７の周方向に連続的につながった円環形状のサスペンションであってもよい。
【００６０】
さらに、本実施の形態におけるスピーカは、２つのユニットを備えていたが、３つ以上のユニットを備えてもよい。この場合、３つ以上のユニットは、上下に直列的に配列されることが好ましい。このとき、最も下方に配置されるユニット以外のユニットにおいて、複数のサスペンションの間に通気路が設けられればよい。この構成により、３つ以上のユニットから出力された音が合成されるので、従来のスピーカよりも、さらに高能率な小型スピーカを実現することができる。
【００６１】
（実施の形態２）
次に、本発明の実施の形態２について説明する。
【００６２】
本実施の形態におけるスピーカが、先に示した実施の形態１におけるスピーカと大きく異なる点は、２つのユニットの配列方向である。実施の形態１では、第１のユニットと第２のユニットとは、音響ポートから放射される音の放射方向に対して、磁気回路と振動板の位置関係が同じであった。つまり、実施の形態１では、第１のユニット及び第２のユニットの両方において、音響ポート側から順に、振動板及び磁気回路が配置されていた。
【００６３】
一方、実施の形態２では、２つのユニットは、磁気回路が相対するように配置されている。つまり、第１のユニットと第２のユニットとは、第１のユニットの磁気回路の底面側と、第２のユニットの磁気回路の底面側とが、対向するように配置されている。言い換えれば、振動板が上下対称に配置されている。
【００６４】
すなわち、実施の形態１におけるスピーカでは、第１のユニットと第２のユニットとが同一の方向に向けて配置されていたが、実施の形態２におけるスピーカでは、第１のユニットと第２のユニットとが相反する方向に向けて配置されている。
【００６５】
以下、実施の形態２におけるスピーカについて、図面を参照しながら説明する。
【００６６】
図２は、本発明の実施の形態２おけるスピーカを示す図である。具体的には、図２の（ａ）は、本実施の形態におけるスピーカの平面図である。また、図２の（ｂ）は、本実施の形態におけるスピーカの縦断面図である。より具体的には、図２の（ｂ）は、図２の（ａ）の平面図に示すＥ−Ｏ−Ｆで切断したときの断面図である。
【００６７】
図２に示すように、本実施の形態におけるスピーカは、第１のユニット４０と、第２のユニット４１と、第１のユニット４０を保持する第１のフレーム４２と、第２のユニット４１を保持する第２のフレーム４３と、音響ポート４６とを備える。
【００６８】
第１のフレーム４２には、第１の通気路４４が設けられている。第１の通気路４４は、実施の形態１における通気路３５ａと同様の位置に設けられている。つまり、第１の通気路４４は、平面視したときに第１のユニット４０が備える複数のサスペンションの間に位置するように設けられている。
【００６９】
また、第２のフレーム４３には、第２の通気路４５が設けられている。第２の通気路４５は、第２のユニット４１が備える複数のサスペンションの間に位置するように設けられている。そして、第１の通気路４４と第２の通気路４５とは接続されている。
【００７０】
音響ポート４６は、第１のユニット４０の振動板側で第１のフレーム４２と固着されている。また、音響ポート４６の中央部には、音孔４７が形成されている。
【００７１】
なお、第１のユニット４０と第２のユニット４１の構成は、図１の（ｂ）で示した実施の形態１と同じであるので、ここでは詳細な説明を省略する。
【００７２】
次に、以上のように構成されたスピーカの動作を説明する。
【００７３】
第１のユニット４０の振動板の前方に放射された音は、図２の（ｂ）の矢印Iで示すように音響ポート４６の音孔４７より外部に放射される。また、第２のユニット４１の振動板の前方に放射された音は、図２の（ｂ）の矢印IIで示すように、第２の通気路４５と第１の通気路４４とを通過して、音孔４７より外部に放射される。また、各ユニットの振動板の後方に放射された音は、図２の（ｂ）の矢印III、IVで示すように、スピーカの側面に形成された孔より、外部に放射される。
【００７４】
これらの音響再生の動作は、基本的に実施の形態１と大きく異ならない。本実施の形態におけるスピーカが、実施の形態１のスピーカと大きく異なるのは、振動特性である。次に、この振動特性について説明する。
【００７５】
第１のユニット４０及び第２のユニット４１それぞれのボイスコイルに電気信号が印加されている場合、第１のユニット４０及び第２のユニット４１それぞれの振動板の振動方向は、図２の（ｂ）の矢印２０１、２０２で示すように、上下逆方向となる。このとき、それぞれの振動板の前方に放射される音の位相は同相である。
【００７６】
一方、磁気回路では、振動板の振動方向に対する反力が生じる。したがって、各磁気回路の振動方向は、図２の（ｂ）の矢印２０３、２０４のようになる。つまり、２つの磁気回路の振動力は、互いの振動を打ち消しあうように作用する。
【００７７】
図３は、スピーカ全体に作用する振動力を、スピーカの底面に固定した力計で測定した結果を示す特性図である。この測定で使用した各ユニットのボイスコイルは、内径φ３．８ｍｍ、質量９５ｍｇ、電気インピーダンス３６Ωのボイスコイルである。また、振動板は、厚みが１０μｍのポリイミドフイルムをドーム状に成形したものである。また、マグネットの材料は、ネオジウムである。また、磁気回路の外径はφ５ｍｍである。
【００７８】
図３において、横軸は周波数を示し、縦軸は振動力を示す。また、振動力は、相対値で表されている。グラフ３０１は、第１のユニットを単独で駆動した場合の測定結果である。グラフ３０２は、第２のユニットを単独で駆動した場合の測定結果である。グラフ３０４は、２つのユニットを同時に駆動した場合の測定結果である。グラフ３０４では、全帯域に渡って、第１のユニット又は第２のユニットを単独で駆動した時よりも、振動力が約−２０ｄＢ抑制されていることが分かる。
【００７９】
グラフ３０３は、参考のために２つのユニットの振動が同方向となるように駆動した場合の測定結果を示す。すなわち、グラフ３０３は、実施の形態１におけるスピーカを駆動した場合の測定結果に相当する。グラフ３０３では、振動力は、第１のユニット又は第２のユニットを単独で駆動した場合よりも、約＋３ｄＢ増加していることが分かる。
【００８０】
以上の測定結果より、実施の形態２におけるスピーカによれば、実施の形態１におけるスピーカと同様の効果に加えて、振動を抑制することも可能となる。図３では、スピーカとしての振動力は−２０ｄＢすなわち、１／１０に低減された。これにより、本実施の形態におけるスピーカを備える補聴器あるいはイヤホンが外耳道に装着された時に、スピーカが振動することで生じる装着時の不快感を抑制することができる。さらに、本実施の形態におけるスピーカを備える補聴器は、スピーカの振動が伝達されて、収音用のマイクロホンが振動することで発生するハウリング現象を抑制することができる。
【００８１】
なお、各ユニットの磁気回路の着磁方向は、特に限定するものでなく、例えば、対向する磁気回路の磁極が引き合う方向の場合であっても、音の位相が同相となるように、ボイスコイルに電気信号を印加すれば、上記と同様に振動抑制の効果を得ることができる。より好ましくは、磁気回路の着磁方向は、対向する磁気回路同士が反発する方向、すなわち、Ｎ極同士あるいはＳ極同士が互いに向かい合う方向に着磁することが好ましい。つまり、各ユニットの磁気回路の着磁方向は、振動板の振動方向において互いに逆向きであることが好ましい。これにより、互いの磁気回路の底面から漏れる磁束が、反発磁界により磁気回路内に封じ込まれて、磁気効率を向上させることができる。
【００８２】
（実施の形態３）
次に、本発明の実施の形態３について説明する。
【００８３】
本実施の形態におけるスピーカが、実施の形態２におけるスピーカと異なる点は、第１のユニットと第２のユニットの配列方向である。具体的には、実施の形態２では、各ユニットの磁気回路同士が、互いに対向するように配置されていたが、本実施の形態では、各ユニットの振動板同士が、スペーサ５４を介して、互いに対向するように配置されている。
【００８４】
以下、実施の形態３におけるスピーカについて、図面を参照しながら説明する。
【００８５】
図４は、本発明の実施の形態３おけるスピーカを示す図である。具体的には、図４の（ａ）は、本実施の形態におけるスピーカの平面図である。また、図４の（ｂ）は、本実施の形態におけるスピーカの縦断面図である。より具体的には、図４の（ｂ）は、図４の（ａ）の平面図に示すＧ−Ｏ−Ｈで切断したときの断面図である。
【００８６】
図４に示すように、本実施の形態におけるスピーカは、第１のユニット５０と、第２のユニット５１と、第１のユニット５０を保持する第１のフレーム５２と、第２のユニット５１を保持する第２のフレーム５３と、第１のフレーム５２と第２のフレーム５３との間に設けられたスペーサ５４と、音響ポート５６とを備える。
【００８７】
第１のフレーム５２には、通気路５５ａ、５５ｂが設けられている。通気路５５ａ、５５ｂは、実施の形態１における通気路３５ａと同様の位置に設けられている。つまり、通気路５５ａ、５５ｂは、実施の形態１、２と同様に、第１のユニットの振動板の外周部の互いに異なる位置をそれぞれ支持する複数のサスペンションの間に設けられている。
【００８８】
音響ポート５６は、第１のユニット５０の磁気回路側で第１のフレーム５２と固着されている。また、音響ポート５６の中央部には、音孔５７が形成されている。
【００８９】
次に、以上のように構成されたスピーカの動作を説明する。
【００９０】
第１のユニット５０のボイスコイルと、第２のユニット５１のボイスコイルとに電気信号が印加されると、実施の形態１及び２と同様に、各振動板が振動して音が放射される。各振動板の前方に放射された音は、図４の（ｂ）の矢印Vで示すように、スピーカ内部で１つに合成される。このように合成された音は、第１のフレーム５２に設けられた通気路５５ａ、５５ｂを通過して、音孔５７より、外空間に放射される。また、各振動板の後方に放射された音は、図４の（ｂ）の矢印III、IVで示すように、外空間に放射される。
【００９１】
以上のように、本実施の形態と実施の形態１、２との大きく異なる点は、第１、第２のユニットそれぞれの振動板から放射される音の合成のしかたである。先に記載した、実施の形態１、２において、スピーカから出力される２つのユニットからの音は、音響ポートに直接的に出力される第１のユニットからの音（矢印I）と、第１のフレーム、或いは第１、第２のフレームに設けられた通気路を通過した第２のユニットからの音（矢印II）との合成となる。これにより、実施の形態１、２では、第１のユニットからの音と第２のユニットからの音に通路差すなわち位相差が生じて、互いの音が干渉されるという問題がある。
【００９２】
一方、本実施の形態では、２つのユニットから出力された音は共通の通気路を通過して、音響ポート５６に形成された音孔５７から放射される。したがって、本実施の形態におけるスピーカの再生音では、実施の形態１又は２におけるスピーカのように位相差が生じることがなく、特に高音域での音圧周波数特性が改善され、より高音質な再生音を実現できる。
【００９３】
さらに、本実施の形態では、振動板の振動（矢印２１１、２１２）の反力を受ける磁気回路の振動は、図４の（ｂ）の矢印２１３、２１４で示すように、互いに打ち消される。そのため、実施の形態２と同様に、本実施の形態におけるスピーカは、スピーカ全体の振動を抑制することができる。また、互いの磁気回路の着磁方向は任意に設定すればよい。このとき、磁気回路が互いに反発するように、同極が対向するように各ユニットが配置されることが望ましい。これにより、磁気回路の振動板側から漏洩する磁束が、互いの反発しあう磁束で封じ込まれて、ボイスコイルが挿入される磁気空隙の磁束を上昇させて、音圧レベルを向上させることができる。
【００９４】
なお、本実施の形態では、第２のユニット５１は、振動板の外周部の互いに異なる位置をそれぞれ支持する複数のサスペンションを備えていたが、必ずしもこのように第２のユニット５１が複数のサスペンションを備える必要はない。第２のフレーム５３には、第２のユニット５１から出力された音を音響ポート５６に導くために通気路が設けられる必要がない。そのため、第２のユニット５１は、振動板の外周部の全体を支持する１つのサスペンションを備えてもよい。
【００９５】
（実施の形態４）
次に、本発明の実施の形態４について説明する。
【００９６】
本実施の形態おけるスピーカが実施の形態１におけるスピーカと異なる点は、２つのユニットから出力された音を各々独立して外部に放射するための２つの音孔が音響ポートに形成されている点である。
【００９７】
以下、実施の形態４におけるスピーカについて、図面を参照しながら説明する。
【００９８】
図５は、本発明の実施の形態４におけるスピーカを示す図である。具体的には、図５の（ａ）は、本実施の形態におけるスピーカの平面図である。また、図５の（ｂ）は、本実施の形態におけるスピーカの縦断面図である。より具体的には、図５の（ｂ）は、図５の（ａ）の平面図に示すＩ−Ｏ−Ｊで切断したときの断面図である。
【００９９】
図５に示すように、本実施の形態におけるスピーカは、第１のユニット６０と、第２のユニット６１と、第１のユニット６０を保持する第１のフレーム６２と、第２のユニット６１を保持する第２のフレーム６３と、音響ポート６５とを備える。
【０１００】
第１のフレーム６２には、通気路６４ａ、６４ｂが設けられている。また、音響ポート６５には、第１の音孔６６と、第２の音孔６７ａ、６７ｂとが設けられている。
【０１０１】
第１のユニット６０の振動板の前方には、第１の空室６８が形成されている。第１の空室６８は、第１の音孔６６と接続されている。したがって、第１のユニット６０の振動板の前方に放射された音は、第１の空室６８及び第１の音孔６６を順に経由して外部に放射される。
【０１０２】
また、第２のユニット６１の振動板の前方には、第２の空室６９が形成されている。第２の空室６９は、通気路６４ａ、６４ｂを介して、第２の音孔６７ａ、６７ｂと接続されている。したがって、第２のユニット６１の振動板の前方に放射された音は、第２の空室６９と通気路６４ａ、６４ｂと第２の音孔６７ａ、６７ｂとを順に経由して外部に放射される。
【０１０３】
図６は、本発明の実施の形態４における第１のフレーム６２の外観図である。この図６を用いて、第１のフレーム６２に設けられた通気路６４ａ、６４ｂと、音響ポート６５に形成された第２の音孔６７ａ、６７ｂとの接合状態について説明する。
【０１０４】
第１のフレーム６２は、支持台７２ａ、７２ｂ、７２ｃ、７２ｄと、支柱７３ａ、７３ｂとを備える。支持台７２ａ、７２ｂ、７２ｃ、７２ｄには、第１のユニット６０の振動板の外周部の互いに異なる位置をそれぞれ支持する複数のサスペンションの外周部が固着される。
【０１０５】
支柱７３ａ、７３ｂは、サスペンションとサスペンションとの間に通気路６４ａ、６４ｂを形成する。支柱７３ａ、７３ｂの上端部は、それぞれ音響ポート６５の第２の音孔６７ａ、６７ｂの下端部と接合される。
【０１０６】
次に、以上のように構成されたスピーカの動作を説明する。
【０１０７】
本実施の形態が実施の形態１と大きく異なるのは、第１のユニット６０の振動板の前方に放射された音は音響ポート６５に形成された第１の音孔６６から放射され、第２のユニット６１の振動板の前方に放射された音は、第１のフレーム６２に設けられた通気路６４ａ、６４ｂを経て、音響ポート６５に形成された第２の音孔６７ａ、６７ｂから放射される点である。これにより、それぞれの振動板の前方に放射された音は、音響ポート６５から外部に放射されるまでは、互いに完全に分離される。
【０１０８】
ここで、第１のユニット６０の振動板の前方に放射される音は、振動板の前方に形成された第１の空室６８の音響スティフネスと音響ポート６５に形成された第１の音孔６６の音響質量とに依存して、第１の音響共振を発生させる。同様に、第２のユニット６１の振動板の前方に放射される音は、振動板の前方に形成された第２の空室６９の音響スティフネスと音響ポート６５に形成された第２の音孔６７ａ、６７ｂの音響質量とに依存して、第２の音響共振を発生させる。
【０１０９】
そこで、本実施の形態では、第１の音響共振と第２の音響共振とが互いに異なる周波数となるように、第１の空室６８と第２の空室６９と第１の音孔６６と第２の音孔６７ａ、６７ｂとが形成されている。つまり、第１の空室６８の音響容量と第１の音孔６６の音響質量とに依存する第１の音響共振と、第２の空室６９の音響容量と第２の音孔６７ａ、６７ｂの音響質量とに依存する第２の音響共振とが、互いに異なる周波数となるように、第１の空室６８と第２の空室６９と第１の音孔６６と第２の音孔６７ａ、６７ｂとが形成されている。
【０１１０】
図７は、本発明の実施の形態４におけるスピーカの音響特性の測定結果を示すグラフである。この音響特性の測定では、外耳道に相当する内径φ１３ｍｍ、長さ２５ｍｍの音響管の一方の終端にマイクロホンを配置し、他方の終端に本体の外径φ６．５ｍｍ、音響ポートの外径φ４ｍｍ、長さ４ｍｍの本実施の形態におけるスピーカを取付けて測定した。
【０１１１】
ここで、測定用音響管との接合部を、密閉状態にするか、開放状態にするかにより、音圧周波数特性の低音域の測定結果は大きく変化する。補聴器あるいはイヤホンが長時間使用される場合、外耳道が外気と通気状態となる開放型の補聴器あるいはイヤホンが望まれる。そこで、ここでは、スピーカと外耳道の内壁との間に空隙を設けて開放型の補聴器あるいはイヤホンとして測定している。
【０１１２】
図７では、グラフ７０１は、第１のユニット６０の振動板の前方への放射音を示す。また、グラフ７０２は、第２のユニット６１の振動板の前方への放射音を示す。２ｋＨｚ付近ｆｐの音圧ピークは、測定用音響管の共振を表わす。グラフ７０１及び７０２ともに、測定用音響管の共振は同じ周波数で生じている。
【０１１３】
一方、グラフ７０１が示すように、第１のユニット６０の振動板の前方への放射音では、７．３ｋＨｚ付近（ｆ０１）に第２の音圧ピークが発生している。このピークは、第１のスピーカの振動板の前方に形成された第１の空室６８の音響スティフネスと第１の音孔６６の音響質量とによる音響共振を表わす。また、グラフ７０２が示すように、第２のユニット６１の振動板の前方への放射音では、５．３ｋＨｚ付近（ｆ０２）に第２の音圧ピークが発生している。このピークは、第２のユニット６１の振動板の前方に形成された第２の空室６９の音響スティフネスと第２の音孔６７ａ、６７ｂの音響質量とによる音響共振である。
【０１１４】
２つのユニットに同時に同じ電気信号を印加すれば、上記２つの音響共振の周波数ｆ０１、ｆ０２において音圧ピークが加算される。したがって、第１のユニット６０から出力される音と、第２のユニット６１から出力される音との合成音の音圧周波数特性は、２ｋＨｚ以上の高音域において、例えば、音響共振が再生帯域外に設定された場合や、２つの共振がほぼ同じ周波数に設定された場合と比較して、高い音圧レベルを広帯域で実現できる。
【０１１５】
なお、本実施の形態では、第２のユニット６１の振動板を支持するサスペンションは、振動板の外周部の全周を支持するように１つのサスペンションとして構成されていたが、実施の形態１、２のように、振動板の外周部の互いに異なる位置をそれぞれ支持するように複数のサスペンションとして構成されても良い。図７で示した音圧周波数特性は、２つのユニットの低域特性を揃えるため、第２のユニット６１が複数のサスペンションを備えるスピーカにおいて測定された測定結果である。
【０１１６】
また、２つの音響共振ｆ０１、ｆ０２を設定する手段としては、例えば、音響ポート６５に形成される各音孔の断面積あるいは長さを調整すればよい。あるいは、各振動板の前方に形成される第１の空室６８及び第２の空室６９の容積を調整すればよい。このようにすれば、任意の周波数を音響共振の周波数として設定できる。特に、補聴器用のレシーバでは、音声の明瞭度を上げるために、少なくとも１つの音響共振の周波数は３ｋから４ｋＨｚ付近に設定することが望ましい。
【０１１７】
（実施の形態５）
次に、本発明の一態様に係るスピーカを機器に搭載した例を説明する。まず、実施の形態５において、スピーカを補聴器に搭載した例を説明する。
【０１１８】
図８は、本発明の実施の形態５における補聴器の概観図である。また、図９は、本発明の実施の形態５における補聴器の詳細図である。また、図１０は、本発明の実施の形態５における補聴器のレシーバ部を耳の外耳道に装着した場合の詳細図である。
【０１１９】
図８に示すように、補聴器は、耳８３の外耳道に挿入され使用される。補聴器は、補聴器本体８０と、リードチューブ８１と、レシーバ８２とを備える。
【０１２０】
補聴器本体８０は、話者の声をマイクで収音した音を電気信号に変換し、ユーザーの聴覚特性に合わせて特性を最適化する信号処理部と、電気信号を増幅するアンプ部とを有する。リードチューブ８１は、内部に電線を備え、電気信号が伝達される。レシーバ８２は、リードチューブ８１から送られてきた電気信号を音に変換する。
【０１２１】
レシーバ８２について、図９を用いて詳細に説明する。レシーバ８２の本体となるスピーカ部８４は、実施の形態１に示したスピーカと同じ構成であり、図１に示す部品と同じ部品には同番号を付している。
【０１２２】
第２のユニット２１を保持する第２のフレーム３２には、第２のユニット２１の振動板の裏面から放射される音を抜く音孔９２が形成されたリードチューブ接合部８５が取り付けられ、リードチューブ８６と接合されている。音響ポート３３には、通気孔８８が形成されたイヤーチップ８７が取り付けられている。
【０１２３】
レシーバ８２の本体となるスピーカ部８４は、リードチューブ８６内のリード線と接合されており、リード線から送られてくる電気信号を再生音に変換している。
【０１２４】
補聴器のレシーバ８２を耳の外耳道に挿入した装着状態について、図１０を用いて詳細に説明する。図１０に示すように、耳８３の外耳道８９内にレシーバ８２は挿入される。このとき、外耳道８９の内壁面と接するのは、音響ポート３３の先端に取付けられたイヤーチップ８７である。
【０１２５】
実施の形態４で説明したように、補聴器のレシーバ８２は、耳孔への挿入の形態により、外耳道の内壁面との間で隙間のない密閉型と、通気孔がある開放型と呼ばれる２つのタイプに分けられる。本実施の形態におけるレシーバ８２は、イヤーチップ８７に通気孔８８が形成された開放型のレシーバである。
【０１２６】
次に、補聴器の音声再生用のスピーカであるレシーバにおいて、本発明の一態様に係るスピーカを用いた場合の効果について詳しく説明する。
【０１２７】
補聴器は、レシーバ８２から放射された音を鼓膜９０に到達させることにより、ユーザーの聴きとりを補助する。このレシーバ８２から放射された音の一部は、イヤーチップ８７に形成された通気孔８８を介して、外気へ導かれ、漏れ音９１が生じる。このため、一般的に、開放型の補聴器では、１ｋＨｚ以下の低音域で音圧レベルが低下する。
【０１２８】
一方、本実施の形態における補聴器では、実施の形態１で説明したように、２つのユニットの振動板がスティフネスの小さな複数のサスペンションで支持されている。そのため、各ユニットの最低共振周波数を３００Ｈｚ付近まで低減することが可能となる。その結果、本実施の形態における補聴器では、開放型の補聴器であっても、低音域まで音圧レベルが低下することなく再生することができる。つまり、本実施の形態における補聴器は、高音質な音を再生することができる。
【０１２９】
また、本実施の形態における補聴器では、２つのユニットを用いるので、再生音圧は高能率となる。つまり、小さな入力信号でも十分な音量が得られるので、電池の消費を抑えることが可能である。さらに、第２のユニット２１から出力された音は、第１のユニット２０の振動板の外周部の一部をそれぞれ支持する複数のサスペンションの間に設けられた通気路によって外部に導かれる。そのため、補聴器は、２つのユニットを備えていても、レシーバ８２の外形が大きくなることを抑制することができる。その結果、レシーバ８２の外耳道への挿入が容易となると同時に、外耳道をレシーバ自体の存在で塞ぐことがなく、イヤーチップの通気孔より、鼓膜付近の空気を外気と容易に通気することが可能となり、快適な長時間装着が実現できる。
【０１３０】
なお、本実施の形態では、実施の形態１のスピーカを備える補聴器について説明したが、補聴器は、実施の形態２〜４いずれのスピーカを備えても良いことは、言うまでもない。
【０１３１】
また、本実施の形態では、補聴器について説明したが、音楽プレーヤあるいはＴＶ機能を搭載した携帯電話等の携帯機器に取り付けて、音楽あるいは音声を再生するためのインナー型イヤホンが、実施の形態１〜４のいずれかのスピーカを備えてもよい。この場合、現状のインナー型イヤホンのほとんどは、密閉型が用いられているが、本発明によれば、長時間装着でも疲れない、低音域も十分に再生可能な、高音質の開放型のインナー型イヤホンが実現できる。
【０１３２】
（実施の形態６）
次に、本発明の一態様に係るスピーカをヘッドホンに搭載した例を説明する。図１１は、本発明の実施の形態６における耳掛けタイプのヘッドホンを耳に装着したときの概観図である。図１１に示すように、本実施の形態におけるヘッドホンは、ヘッドホン本体１００と、耳と頭部との隙間にヘッドホンを保持する耳掛けホルダー部１０１と、耳掛けホルダーの端部に保持された、本発明の一態様に係るスピーカを備えるレシーバ１０２と、レシーバ１０２に電気信号を伝えるコード１０３とを備える。なお、本実施の形態では、レシーバ１０２は、外耳道内に挿入されず、外耳道の入り口付近に配置される。
【０１３３】
次に、ヘッドホン用のレシーバにおいて、本発明の一態様に係るスピーカを用いた場合の効果について説明する。ここで、レシーバ１０２の詳細は実施の形態５と重複するので説明を省略する。本実施の形態で使用するスピーカは、実施の形態１、〜４のいずれのスピーカでもよい。好ましくは、レシーバ１０２を外耳道の入り口に配置するときに、音響ポートの突起部は邪魔になるので、この突起部を短くするか、取り除いたスピーカが良い。
【０１３４】
ここで、レシーバ１０２は、耳掛けホルダー部１０１により、緩やかに保持される。したがって、レシーバ１０２と外耳道の入り口部と間には、音が漏れる程度の隙間が形成される。しかし、本発明の一態様に係るスピーカは、２つのユニットの振動板が複数のサスペンションで支持されている。そのため、各ユニットの最低共振周波数は１００Ｈｚ付近まで低減することも可能となる。その結果、レシーバ１０２から放射される音が、外耳道の入り口で外空間に漏れても、低音域まで再生される高音質なヘッドホンを実現できる。また、レシーバ１０２が外耳道内に挿入されないので、長時間の装着が可能な開放型のヘッドホンとして実現することができる。
【０１３５】
なお、本実施の形態では、本発明の一態様に係るスピーカを、耳掛け型のヘッドホンに搭載したが、ＨＭＤ（Ｈｅａｄ  Ｍｏｕｎｔ  Ｄｉｓｐｌａｙ）あるいは３Ｄ画像視聴用のメガネ等に搭載してもよい。これらの場合も、長時間の使用時でも疲労感が少なく、迫力ある低音が再生される高音質な機器が手軽に実現できる。
【０１３６】
（実施の形態７）
次に、本発明の一態様に係るスピーカを携帯型端末装置に搭載した例を説明する。図１２は、本発明の実施の形態５に係る携帯型端末装置の外観図である。
【０１３７】
本実施の形態における携帯型端末装置は、上部筐体１５０と、下部筐体１５１と、液晶画面１５２と、ヒンジ部１５３と、スピーカ１５４とを備える。また、上部筐体１５０には、音孔１５５が形成されている。図１２に示す携帯型端末装置は、本体が上部筐体１５０及び下部筐体１５１からなる折りたたみ式の携帯電話機である。上部筐体１５０と下部筐体１５１とは、ヒンジ部１５３を中心に回転可能に接続される。
【０１３８】
上部筐体１５０には、正面に液晶画面１５２が設けられる。スピーカ１５４は上部筐体１５０の内部であって液晶画面１５２の上端に配置される。なお、スピーカ１５４は、実施の形態１〜４に示したスピーカのいずれかと同じである。
【０１３９】
以上のように構成された携帯型端末装置の動作を説明する。ここでは図示しないが、アンテナから受信信号が受け取られると、信号処理部で処理された受話信号がスピーカ１５４に入力され、受話音が再生される。すなわち、本実施の形態ではスピーカ１５４は、携帯電話機で受話音を再生するスピーカであり、レシーバと呼ばれる音響変換器として動作する。
【０１４０】
以上のように、本実施の形態における携帯型端末装置は、音響効率の低下を抑制しつつ、小型化されたスピーカを備えるので、携帯型端末装置の小型化を図ることができるとともに、省電力を実現することも可能となる。
【０１４１】
以上、本発明の一態様に係るスピーカなどについて、実施の形態に基づいて説明したが、本発明は、これらの実施の形態に限定されるものではない。本発明の趣旨を逸脱しない限り、当業者が思いつく各種変形を本実施の形態に施したもの、あるいは異なる実施の形態における構成要素を組み合わせて構築される形態も、本発明の範囲内に含まれる。
【０１４２】
例えば、上記実施の形態において、スピーカは、磁性流体を備えていたが、必ずしも磁性流体を備える必要はない。例えば、スピーカは、各ユニットにおいて、振動板の前方に形成される空間と振動板の後方に形成される空間とが物理的に遮断できるような構造であってもよい。
【産業上の利用可能性】
【０１４３】
以上のように本発明によれば、小型化された高能率なスピーカを実現することができるので、イヤホン、補聴器又は携帯型端末装置などに搭載されるスピーカとして有用である。
【符号の説明】
【０１４４】
２０、４０、５０、６０  第１のユニット
２１、４１、５１、６１  第２のユニット
２２  ヨーク
２３  マグネット
２４  プレート
２５、３７  振動板
２６ａ、２６ｂ、２６ｃ、２６ｄ  サスペンション
２７  磁気空隙
２８  ボイスコイル
２９  磁性流体
３０、３４、４７、５７、９２  音孔
３１、４２、５２、６２  第１のフレーム
３２、４３、５３、６３  第２のフレーム
３３、４６、５６、６５  音響ポート
３５ａ、３５ｂ、５５ａ、５５ｂ、６４ａ、６４ｂ  通気路
３６ａ、３６ｂ  リード線
４４  第１の通気路
４５  第２の通気路
５４  スペーサ
６６  第１の音孔
６７ａ、６７ｂ  第２の音孔
６８  第１の空室
６９  第２の空室
７２ａ、７２ｂ、７２ｃ、７２ｄ  支持台
７３ａ、７３ｂ  支柱
８０  補聴器本体
８１、８６  リードチューブ
８２、１０２  レシーバ
８３  耳
８４  スピーカ部
８５  リードチューブ接合部
８７  イヤーチップ
８８  通気孔
８９  外耳道
９０  鼓膜
９１  漏れ音
１００  ヘッドホン本体
１０１  耳掛けホルダー部
１０３  コード
【図１】
0005879563.tif 000002
【図２】
0005879563.tif 000003
【図３】
0005879563.tif 000004
【図４】
0005879563.tif 000005
【図５】
0005879563.tif 000006
【図６】
0005879563.tif 000007
【図７】
0005879563.tif 000008
【図８】
0005879563.tif 000009
【図９】
0005879563.tif 000010
【図１０】
0005879563.tif 000011
【図１１】
0005879563.tif 000012
【図１２】
0005879563.tif 000013
【図１３】
0005879563.tif 000014